(57)【要約】【課題】本発明は、サンプルスライド処理用のスライドカバー（６０１）及びその使用方法を開示する。【解決手段】スライドカバー（６０１）は、毛管現象発生平面（１）、深さ位置決め面（２）、幅位置決めブロック（３）、底部位置決めブロック（４）、溝側面（６）、溝開口面（７）、導流口（５）を含む。スライドカバー（６０１）とスライド（１０１）とが組み合わせるときに形成するスライドアセンブリ（１０３）の中間には微小ギャップを有し、試薬を添加するとき、試薬は、毛細管によるサイフォン作用でギャップに均一に充填し、スライドアセンブリ（１０３）は、どのような方式で放置しても（竪立或いは傾斜放置）、ギャップのうちの試薬は、無くすことがしない。新たな試薬を添加するとき、新たな試薬は、試薬添加溝（１０２）を介してギャップに進入し、ギャップにおける本来の液体がスライドアセンブリ（１０３）の底部のギャップである導流口（５）から流出し、自動的に置換され、毎回、新たな試薬を添加する前、先の試薬を除去し、乾燥する必要がない。スライドアセンブリは、耐熱材料から製造され、熱媒体に浸漬され、或いは一部が熱媒体に挿入して加熱及び保温し、サンプルスライドが終始に同一装置において処理を行うことができる。【選択図】図１ｂ
2019510242.tif 000002
【特許請求の範囲】
【請求項１】
矩形シートのサンプルスライドと配合し、１組のサンプル処理用のスライドアセンブリ（１０３）を構成するサンプルスライド処理用のスライドカバーであって、前記スライドカバーは、毛管現象発生平面（１）、深さ位置決め面（２）、幅位置決めブロック（３）、底部位置決めブロック（４）、溝側面（６）、溝開口面（７）を含み、
前記毛管現象発生平面（１）のお互いに対向する両側辺の上方には、２つの前記深さ位置決め面（２）が設けられ、毛管現象発生平面（１）は、深さ位置決め面に平行し、前記スライドの平面の両側辺縁に近接する部分は、深さ位置決め面（２）に貼り合せ、スライド表面と毛管現象発生平面（１）との間に微小ギャップを形成し、それぞれの深さ位置決め面（２）において毛管現象発生平面（１）から離れる外側辺縁には、１つ以上の前記幅位置決めブロック（３）が設けられ、異なる深さ位置決め面（２）に位置する幅位置決めブロック（３）間の垂直距離は、スライドの幅にマッチングして位置制限し、底部位置決めブロック（４）は、深さ位置決め面（２）の底端に設けられ、
前記溝開口面（７）と毛管現象発生平面（１）の上端は、接続して夾角Ａ１を形成し、Ａ１が１〜１７５度の平面角であり、溝開口面（７）の両側には、それぞれ、溝側面（６）が接続し、前記溝開口面（７）及び２つの溝側面（６）は、スライド平面と共同に前記微小ギャップに連通する試薬添加溝を構成することを特徴とするサンプルスライド処理用のスライドカバー。
【請求項２】
前記毛管現象発生平面（１）の底端、即ち、微小ギャップの底部にはギャップ口があることを特徴とする請求項１に記載のサンプルスライド処理用のスライドカバー。
【請求項３】
スライドカバーは、スライドの長さと略等しく、溝側面（６）においてスライド平面に貼り合せる一側、即ち、２つの前記深さ位置決め面（２）の上端には、共に、タグ収容溝（９）が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができることを特徴とする請求項１に記載のサンプルスライド処理用のスライドカバー。
【請求項４】
スライドカバーは、スライドより短く、スライドがスライドカバーの上方より高い箇所に、タグを貼り付けて、或いはプリントする空間を残すことを特徴とする請求項１に記載のサンプルスライド処理用のスライドカバー。
【請求項５】
２つの溝側面（６）の外側には頂部模様（１０）が設けられ、溝側面（６）と指との間の摩擦力を増加することを特徴とする請求項１に記載のサンプルスライド処理用のスライドカバー。
【請求項６】
毛管現象発生平面（１）と深さ位置決め面（２）との間の垂直距離が０．０１〜０．５ｍｍであり、それにより、スライドカバー及びスライドが緊密に貼り付けた後、スライド表面と毛管現象発生平面（１）との間にピッチ０．０１〜０．５ｍｍの微小ギャップを形成し、前記幅位置決めブロック（３）は、深さ位置決め面（２）の厚さより０．１〜１ｍｍ高いことを特徴とする請求項１に記載のサンプルスライド処理用のスライドカバー。
【請求項７】
スライドカバー（１０１）の上面には、少なくとも１つの生物サンプルを含むことを特徴とする請求項１に記載のサンプルスライド処理用のスライドカバー。
【請求項８】
スライドカバー及びスライドが緊密に貼り付けた後、形成した組合せ部材、即ち、スライドアセンブリ（１０３）は、竪立し、或いは傾斜して放置されることができ、その傾斜角度が１〜９０度であることを特徴とする請求項１に記載のサンプルスライド処理用のスライドカバー。
【請求項９】
底部位置決めブロック（４）は、上向きの鉤状であり、底部位置決めブロック（４）と幅位置決めブロック（３）は、共に、カバーとスライドが貼り付けた後の相対位置を確定し、かつカバーとスライドとの間の緊密貼合せを保持することを支援することを特徴とする請求項１に記載のサンプルスライド処理用のスライドカバー。
【請求項１０】
スライドカバーの背部である溝開口面（７）の背面、即ち外側と毛管現象発生平面（１）の背面との間には補強リブ（８）が設けられていることを特徴とする請求項１に記載のサンプルスライド処理用のスライドカバー。
【請求項１１】
スライドカバーの材料は、８０℃以上になっても変形したり、軟化しない材料であることを特徴とする請求項１に記載のサンプルスライド処理用のスライドカバー。
【請求項１２】
前記毛管現象発生平面（１）の底部には、さらに、２つの導流角（１１）が設けられ、２つの前記導流角間には漏斗式の導流口（５）を形成し、毛管現象発生平面のうちの溶液が導流口から流出することを許可し、前記導流角（１１）の毛管現象発生平面に対する高度は、深さ位置決め面（２）と面一であることを特徴とする請求項１に記載のサンプルスライド処理用のスライドカバー。
【請求項１３】
請求項１〜１２のいずれか一項に記載のサンプルスライド処理用のスライドカバーの使用方法であって、スライドカバーとスライドとが緊密に貼り合せた後、組み合わせたスライドアセンブリ（１０３）は、熱容液に完全に浸漬され、或いは底部部分が熱容液に挿入して加熱し、加熱過程において揮発を発生しても、ギャップのうちの容液も底部のギャップ口又は導流口（５）から吸込まれることができ、自動的に補充されることを特徴とするサンプルスライド処理用のスライドカバーの使用方法。
【発明の詳細な説明】
【技術分野】
【０００１】
本発明は、生物サンプル処理分野に関し、特に生物サンプルスライド処理用のスライドカバー及びその使用方法に関する。
【背景技術】
【０００２】
サンプルスライドにおけるタンパク質や、病原体、遺伝子検査（例えば、免疫組織化学及びｉｎ  ｓｉｔｕハイブリダイゼーションの遺伝子検査など）の全過程は、数十個の複雑な工程が必要であり、環境や人工操作などの各種要素は、テスト結果の正確性にひどく影響する。操作プローを簡易化し、環境に影響される要素を低減することは、サンプル検出効率と正確性を向上するために最も重要なことである。
【０００３】
現在、検証過程において、サンプルスライドは、タイルして放置され、大きな空間を占め、サンプルスライド処理の流量及び効率を影響する。
【０００４】
試薬添加は、シートの上方から噴射し、試薬添加の位置誤差が大きい。試薬を滴下した後、オープンして培養すると、試薬が揮発してサンプルスライドが乾燥になりやすい問題を発生する。
【０００５】
通常、試薬は、スライドの上方から滴下し、試薬を添加する前にスライドにおける本来の液体を除去し、乾燥し、拭き取る必要がある。このように操作すると、人為的ばらつきが大きく、残液は、一定の程度に次の試薬の濃度及び効果を影響する。スライドを拭き取る過程において、サンプルを損害し、及び先の拭き取られるサンプルが乾燥し、サンプル処理失敗を引き起こす。
【０００６】
サンプル処理の途中において、大部分のサンプルは、加熱処理を行う必要がある。大部分のサンプルが加熱処理を行う必要があることは、抗原又は病原体特徴のタンパク質が、本来の形状を復元し、或いは遺伝子鎖を溶解するために必要である工程である。加熱は、一般的に、８０−１２１℃の温度で行い、かつ３−６０分間維持する。最も通常の方法は、圧力釜による煮込みや、一般的な煮沸、電子レンジによる煮込み、熱浴による加熱などの方法が挙げられる。しかしながら、現在の手動操作において、一般的に使用されるサンプルスライドの処理容器又は載置フレームは、耐熱するものではなく、加熱機能も有しない。サンプルスライドの処理途中にサンプルスライドを加熱可能な容器に移行し、その後に常温の操作台に移行する必要があり、操作プローの複雑性と操作誤差を増加する。
【０００７】
本発明は、サンプルスライドを処理する過程には、移行する必要がなく、終始に同一装置内に処理を行い、サンプルスライド処理の操作工程を簡易化し、サンプルスライド処理の効率及び信頼性を向上する。
【０００８】
本発明の実施例は、図面に示され、かつ、以下に、詳しく説明する。しかしながら、本発明は、各種の修正及び置換的な方法と装置を含み、具体的な説明及び図面によれば、本発明は、開示した具体的な形式に限定されず、その反対に、本発明の保護しようとする範囲は、請求の範囲に記載の本発明の精神及び範囲のすべての修正及び置換的な構成、乃至これらの同等物のすべての範囲を含む。図面には、同じ参照符号は、相同又は類似する特徴に適用できる。
【発明の概要】
【発明が解決しようとする課題】
【０００９】
上記問題を解決するために、サンプルスライド処理用のスライドカバー及びその使用方法を提出し、当該カバーは、通常のスライド（ｓｌｉｄｅ）と配合することができ、スライドとカバーとの間に微小の毛管現象発生平面型のギャップ、及び微小ギャップに連通する試薬添加溝を形成する。サンプルスライドは、スライドに貼り付けて、かつ当該微小ギャップに位置し、試薬添加溝を介して試薬を添加するとき、毛細管の作用により、試薬は、微小ギャップに進入してサンプルスライドにカバーする。カバーの製造材料は、８０℃以上の温度を耐えることができ、スライドアセンブリは、直接的に浸漬し、或いは底部の一部が熱溶液に挿入して加熱することができ、カバーとスライドとを分離する必要がない。加熱過程において、ギャップのうちの液体は、揮発しても、ギャップのうちの液体も毛細管によるサイフォン作用で底部のギャップ口から吸い込まれることができ、自動的に補充され、加熱過程は、十分であり、均一であり、サンプルスライドが乾燥する現象を発生しなく、熱処理過程の信頼性及び重複性を保証する。カバーは、スライドの長さと略等しく、カバーの深さ位置決め面にはタグ収容溝を残し、スライドにタグを貼り付けることを影響しない。或いは、スライドカバーは、スライドより短くてもよく、スライドの上方にはマーカを貼り付ける（プリントする）空間を残す。サンプルの識別及び自動化の必要にとっては有利である。
【課題を解決するための手段】
【００１０】
本発明の目的は、以下の少なくとも１つの技術案により達成される。
【００１１】
矩形シートのサンプルスライドと配合し、１組のサンプル処理用のスライドアセンブリを構成するサンプルスライド処理用のスライドカバーであって、前記スライドカバーは、毛管現象発生平面、深さ位置決め面、幅位置決めブロック、底部位置決めブロック、溝側面、溝開口面を含み、前記毛管現象発生平面のお互いに対向する両側辺の上方には、２つの前記深さ位置決め面が設けられ、毛管現象発生平面は、深さ位置決め面に平行し、前記スライドの平面の両側辺縁に近接する部分は、深さ位置決め面に貼り合せ、スライド表面と毛管現象発生平面との間に微小ギャップを形成し、それぞれの深さ位置決め面において毛管現象発生平面から離れる外側辺縁には、１つ以上の前記幅位置決めブロックが設けられ、異なる深さ位置決め面に位置する幅位置決めブロック間の垂直距離は、スライドの幅にマッチングして位置制限し（前者が後者以上である）、底部位置決めブロックは、深さ位置決め面の底端に設けられている。
【００１２】
前記溝開口面と毛管現象発生平面の上端は、接続して夾角Ａ１を形成し、Ａ１が１〜１７５度の平面角であり、溝開口面の両側には、それぞれ、溝側面が接続し、前記溝開口面及び２つの溝側面は、スライド平面と共同に前記微小ギャップに連通する試薬添加溝を構成する。前記毛管現象発生平面の底端、即ち、微小ギャップの底部にはギャップ口がある。
【００１３】
さらに、スライドカバーは、スライドより短く、スライドがスライドカバーの上方より高い箇所に、タグを貼り付けて、或いはプリントする空間を残し、このとき、深さ位置決め面には前記タグ収容溝を設置する必要がない。
【００１４】
好ましくは、スライドカバーは、スライドの長さと等しく、溝側面においてスライド平面に貼り合せる一側、即ち、２つの前記深さ位置決め面の上端には、共に、タグ収容溝が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができる。
【００１５】
好ましくは、２つの溝側面の外側には頂部模様が設けられ、溝側面と指との間の摩擦力を増加する。
【００１６】
好ましくは、毛管現象発生平面と深さ位置決め面との間の垂直距離が０．０１〜０．５ｍｍであり、それにより、スライドカバー及びスライドが緊密に貼り付けた後、スライド表面と毛管現象発生平面との間にピッチＤ１の微小ギャップを形成し、Ｄ１の数値が、通常、０．０１〜０．５ｍｍである。前記幅位置決めブロックは、深さ位置決め面の厚さよりＤ２高く、Ｄ２が通常０．１〜１ｍｍである。異なる側に位置する２つの位置決めブロック間の距離は、スライドの幅より略大きい。
【００１７】
本発明に記載のスライドカバーの上面には少なくとも１つの生物サンプルを含む。
【００１８】
好ましくは、スライドカバー及びスライドが緊密に貼り付けた後、形成した組合せ部材、即ち、スライドアセンブリは、竪立し、或いは傾斜して放置されることができ、その傾斜角度が１〜９０度である。
【００１９】
好ましくは、底部位置決めブロックは、上向きの鉤状であり、底部位置決めブロックと幅位置決めブロックは、共に、カバーとスライドが貼り付けた後の相対位置を確定し、かつカバーとスライドとの間の緊密貼合せを保持することを支援する。
【００２０】
好ましくは、スライドカバーの背部である溝開口面の背面、即ち外側と毛管現象発生平面の背面との間には補強リブが設けられている。
【００２１】
好ましくは、スライドカバーの材料は、８０℃以上になっても変形したり、軟化しない材料である。
【００２２】
好ましくは、前記毛管現象発生平面の底部には、さらに、２つの導流角が設けられ、２つの前記導流角間には、漏斗式の導流口を形成し、毛管現象発生平面のうちの溶液が導流口から流出することを許可し、液体は、試薬添加溝を介して重力作用で微小ギャップに流入し、かつ微小ギャップの底部のギャップ口から流出するときに、より均一になり、前記導流角の毛管現象発生平面に対する高度は、深さ位置決め面と面一である。
【００２３】
本発明に係るサンプルスライド処理用のスライドカバーの使用方法において、スライドカバーとスライドとが緊密に貼り合せた後、組み合わせたスライドアセンブリは、熱容液に完全に浸漬され、或いは底部部分が熱容液に挿入して加熱し、加熱過程において揮発を発生しても、ギャップのうちの容液も底部のギャップ口又は導流口から吸込まれることができ、自動的に補充される。スライドアセンブリは、挿入溝において、通常、竪立し、或いは傾斜して放置され、その角度が１〜９０度である。
【００２４】
さらに、Ａ１の大きさは、スライドアセンブリの挿入角度に基づいて設置し、スライドアセンブリは、傾斜して挿入した後、試薬添加溝になる。溝開口面の両側には、それぞれ、溝側面が接続し、前記溝開口面及び２つの溝側面は、スライド平面と共同に前記微小ギャップに連通する試薬添加溝を構成する。
【００２５】
好ましくは、底部位置決めブロックは、スライドとカバーを挟み込むことを支援し、微小ギャップの形成及び一致性を確保する。
【００２６】
さらに、溝側面は、毛管現象発生平面に対して傾斜して垂直する。
【００２７】
好ましくは、スライドカバーの長さは、スライドの長さと略等しく、通常、７５ｍｍである。スライドカバーの長さは、スライドの長さより小さく、それにより、スライドの露出部分は、マーカをプリントし、或いは貼り付ける。
【００２８】
従来の技術に比べて、本発明は、以下のメリット及び技術効果を有する。
【００２９】
本発明では、スライドカバーとスライドとが緊密に貼り付けて組み合わせるとき、形成するスライドアセンブリの中間には微小ギャップがあり、試薬は、試薬添加溝に添加するとき、重力及び毛細管によるサイフォン作用で、試薬添加溝を介して進入し、かつ微小ギャップをいっぱいに充填する。サンプルスライドが微小ギャップのうちのいずれかの位置に置かれても、試薬にカバーされ、サンプルが試薬にカバーされないリスクを排除する。
【００３０】
本発明に係るスライドアセンブリは、空間の必要に応じて平らに放置し、傾斜放置し、竪立してもギャップのうちの液体が無くすことがしなく、それにより、空間の必要に応じてスライドアセンブリを傾斜放置し、或いは竪立放置し、空間利用率を向上する。
【００３１】
本発明に係るスライドカバーは、比較的高温な材料を採用して製造することができ、スライドと組み合わせた後に、形成するスライドアセンブリは、直接的に浸漬され、或いは、一部が熱溶液に挿入して加熱して保温することができ、加熱するとき、ギャップのうちの液体は、揮発を発生しても、液体も底部のギャップ口から吸込まれ、自動的に補充され、熱修復過程においてサンプルが乾燥になることがしなく、サンプル処理の信頼性及び重複性を向上する。
【００３２】
スライドアセンブリがサンプルスライド処理の全過程において、スライドカバーとスライドとの間の相対位置は、終始に固定され、分離する必要もない。
【００３３】
このようなスライドアセンブリは、傾斜し、或いは竪立して放置するとき（１−９０度間）、操作過程において新たな試薬を添加する場合、ギャップにおける本来の試薬は、新たな試薬で自動的に置換され、底部の導流口から流出し、新たな試薬を添加する前に、スライドにおける本来の液体（試薬）を除去し、乾燥する必要がない。サンプルスライド処理の全過程において手動でスライドを取ったり移行する必要がない、洗浄効率を向上し、プローを簡易化する。
【図面の簡単な説明】
【００３４】
【図１ａ】図１ａは、サンプルスライド処理用のスライドカバーの構成模式図である。
【図１ｂ】図１ｂは、図１ａに示す実施例の更なる最適化の構成模式図である。
【図２】図２は、実施例におけるサンプルスライド処理用のスライドカバーとスライドとが配合して形成するスライドアセンブリの構成模式図である。
【図３】図３は、実施例におけるサンプルスライド処理用のスライドカバーの背面の構成模式図である。
【図４ａ】図４ａは、実施例におけるサンプルスライド処理用のスライドカバーとスライドとが配合してなるスライドアセンブリである。
【図４ｂ】図４ｂは、図４ａのＡ−Ａ断面図である。
【図４ｃ】図４ｃは、図４ｂのＢ部の一部拡大図である。
【図５】図５は、実施例におけるスライドアセンブリを挿入するためのスライドサポートの構成模式図である。
【図６】図６は、実施例におけるスライドアセンブリを挿入するための複数排のスライドサポートの構成模式図である。
【図７】図７は、実施例における複数のスライドアセンブリを挿入するスライドサポートの構成模式図である。
【発明を実施するための形態】
【００３５】
以下に、具体的な実施例を結び合わせて本発明をさらに説明するが、本発明は、それに限定されない。
【００３６】
図１ａに示すように、サンプルスライド処理用のスライドカバーであって、主に、毛管現象発生平面１、深さ位置決め面２、幅位置決めブロック３、底部位置決めブロック４、ギャップ口５０１、溝側面６、溝開口面７などの構成部分を含み、当該スライドカバーは、スライドの長さがスライドカバーの長さより大きい状況に適用される。前記毛管現象発生平面１のお互いに対向する両側辺の上方には、２つの前記深さ位置決め面２が設けられ、毛管現象発生平面１は、深さ位置決め面に平行する。前記深さ位置決め面２は、合計で２つであり、それぞれ、毛管現象発生平面１の左右両側に位置している。前記スライドの平面の両側辺縁に近接する部分は、深さ位置決め面２に貼り合せ、スライド表面と毛管現象発生平面１との間に微小ギャップを形成する。それぞれの深さ位置決め面２において毛管現象発生平面１から離れる外側辺縁には、１つ以上の前記幅位置決めブロック３が設けられている。異なる深さ位置決め面２に位置する幅位置決めブロック３間、即ち図１ａにおいて左右の２つの幅位置決めブロック間の垂直距離は、スライドの幅にマッチングして位置制限する。底部位置決めブロック４は、深さ位置決め面２の底端に設けられている。前記溝開口面７と毛管現象発生平面１の上端は、接続して夾角Ａ１を形成し、Ａ１が１〜１７５度の平面角である。溝開口面７の両側には、それぞれ、溝側面６が接続している。前記溝開口面７及び２つの溝側面６は、スライド平面と共に前記微小ギャップに連通する試薬添加溝を構成し、微小ギャップの底部にはギャップ口５０１がある。
【００３７】
好ましくは、スライドカバーは、スライドの長さと略等しく、溝側面においてスライド平面に貼り合せる一側、即ち、２つの前記深さ位置決め面の上端には、共に、タグ収容溝が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができる。底部位置決めブロックは、好ましくは、鉤状であり、２つの溝側面の外側には頂部模様が設けられ、溝側面と指との間の摩擦力を増加する。図１ｂ及び図２に示すように、サンプルスライド処理用のスライドカバー６０１及びスライド１０１が配合して組み合わせるスライドアセンブリ１０３は、主に、毛管現象発生平面１、深さ位置決め面２、幅位置決めブロック３、底部位置決めブロック４、底部導流口５、溝側面６、溝開口面７、補強リブ８、タグ収容溝９、スライド１０１などの構成部分を含む。毛管現象発生平面１、深さ位置決め面２、幅位置決めブロック３、底部位置決めブロック４、溝側面６、溝開口面７の構成関係は、図１ａと同じである。その好ましい技術案は、サポート装置の構成をより簡単にし、製造コストが大幅に低減され、Ｖ字状の挿入溝は、スライドアセンブリの構成にマッチングし、使用するとき、指で２つの溝側面の頂部模様部位とスライドを挟んで、スライドアセンブリを挿入溝に容易に挿入し、スライドの頂端を押付けるとき受力が不均一になり、或いは受力方向が偏差があるのでスライドをスライドカバーから離間させることを回避し、微小ギャップの形成及び正確性を保証し、操作がより便利で快速である。また、スライドアセンブリの排列は、より緊密になり、さらに空間を減少し、処理効率を向上する。
【００３８】
図４ａ〜４ｃ、図５に示すように、前記スライドカバーは、矩形シートのサンプルスライド（ｓｌｉｄｅ）１０１と配合し、１組のサンプル処理のためのアセンブリを構成する。前記毛管現象発生平面１は、平面であり、深さ位置決め面２との間の垂直距離がＤ１である。前記深さ位置決め面２は、合計で２つであり、それぞれ、毛管現象発生平面１の両側に位置している。前記スライドの平面と深さ位置決め面２とが貼り合せ、スライド表面と毛管現象発生平面１との間にピッチＤ１の微小ギャップを形成し、Ｄ１の数値が０．０１〜０．５ｍｍである。前記幅位置決めブロック３は、深さ位置決め面２の辺縁に設けられ、位置決め面２よりＤ２高く、通常、０．１〜１ｍｍであり、左右の２つの位置決めブロック間の距離は、スライドの幅より略大きい。底部位置決め鉤４は、深さ位置決め面２の底端に設けられ、幅位置決めブロックと共に、カバーとスライドとが貼り付けた後の相対位置を固定し、かつスライドサポートの挿入溝における板ばねと共に、カバーとスライドを挟み込むことを支援し、微小ギャップ形成及び正確性を確保する。
【００３９】
前記溝開口面７と毛管現象発生平面１とは、接続して夾角Ａ１を形成し、１〜１７５度の平面角であってもよく、通常、１〜９０度の平面角である。溝側面６と毛管現象発生平面１とは、夾角を形成し、或いは垂直し、かつ溝開口面７に接続する。前記溝開口面７及びその両側の溝側面６は、スライド１０１の平面と共同に試薬添加溝１０２を構成する。
【００４０】
さらに、毛管現象発生平面１の底部には底部の漏斗式の導流口５が設けられている。
【００４１】
図６に示すように、複数のスライドカバー６０１及びスライド１０１から組み合わせるスライドアセンブリ１０３は、スライドサポート６０２における挿入溝に挿入する。挿入溝は、通常、竪立し或いは傾斜して設置し、その角度が通常、１〜９０度である。
【００４２】
図７は、実施例における複数のスライドアセンブリを挿入するスライドサポートの構成模式図であり、本発明に係るスライドカバーの構成によれば、スライドサポート６０２の挿入溝が２つの挟み込み面を設置すればよく、２つの挟み込み面間の最小ギャップは、スライドアセンブリ１０３の全体厚さ以下であり（好ましくは、それより小さい）、それにより、スライドアセンブリ１０３がスライドサポート６０２における前記最小ギャップに挿入するとき、２つの挟み込み面による弾性圧力に挟み込まれる。
【００４３】
スライドカバーの材料は、８０℃以上になっても変形したり、融化したりしない材料、例えば、ポリカーボネートＰＣであってもよく、それにより、スライドカバーとスライドは、熱処理するときカバーとスライドを分離する必要がない。
【００４４】
前記Ｄ１の数値が０．０１〜０．５ｍｍである。前記Ｄ２は、通常、０．１〜１ｍｍである。当該範囲には、スライドカバーとスライドとが緊密に貼りあわせた後、毛細管によるサイフォン作用で、ギャップのうちの液体は、無くすことがしなく、スライドにおけるサンプルは、いつでも、試薬にカバーされ、かつ空間の必要に応じて傾斜し或いは竪立して放置することができる。
【００４５】
実施例：スライドカバーは、以下のサイズを有する。深さ位置決め面２の長さが５４ｍｍ、２つの幅位置決めブロック３内側間の距離が２０ｍｍ、Ｄ１＝０．２ｍｍ、Ｄ２＝０．５ｍｍであり、毛管現象発生平面の長さが、４０ｍｍであり、幅が２０ｍｍであり、溝開口面と深さ位置決め面との間の夾角が６０度である。スライドの長さが７５ｍｍ、幅が２５ｍｍである。サンプルスライドの厚さが約０．００５ｍｍである。実験によれば、スライドとカバーの毛管現象発生平面との間に微小ギャップを形成し、毛細管によるサイフォン作用を形成することができ、試薬を添加するとき、試薬は、ギャップをいっぱいに充填する。
【００４６】
本発明に係るスライドアセンブリ１０３は、免疫組織化学の染色過程において、ギャップのうちの液体が、均一に置換される。２つの加熱方法をテストする。スライドアセンブリ１０３を直接的に沸騰する熱修復溶液に浸漬し、及び底部部分が沸騰する熱修復容液に挿入して６０分間加熱する。２つの加熱方法では、ギャップには終始に液体をいっぱいに充填し、気泡累積又は乾燥現象を発生しない。良好なサンプルスライドの処理效果を達成する。
【符号の説明】
【００４７】
１−毛管現象発生平面、２−深さ位置決め面、３−幅位置決めブロック、４−底部位置決めブロック、５−導流口、６−溝側面、７−溝開口面、８−補強リブ、９−タグ収容溝、１０−頂部模様、１１−導流角、１０１−スライド、１０２−試薬添加溝、１０３−スライドアセンブリ、５０１−ギャップ口、６０１−スライドカバー、６０２スライドサポート、６０２ｂ−複数排のスライドサポート、６０３−板ばね、６０４−挿入溝。
【図１ａ】
2019510242.tif 000003
【図１ｂ】
2019510242.tif 000004
【図２】
2019510242.tif 000005
【図３】
2019510242.tif 000006
【図４ａ】
2019510242.tif 000007
【図４ｂ】
2019510242.tif 000008
【図４ｃ】
2019510242.tif 000009
【図５】
2019510242.tif 000010
【図６】
2019510242.tif 000011
【図７】
2019510242.tif 000012
【手続補正書】
【提出日】平成30年9月20日(2018.9.20)
【手続補正１】
【補正対象書類名】明細書
【補正対象項目名】００１７
【補正方法】変更
【補正の内容】
【００１７】
本発明に記載のスライドカバーのスライド及びスライドアセンブリの上面には少なくとも１つの生物サンプルを含む。
【手続補正２】
【補正対象書類名】特許請求の範囲
【補正対象項目名】全文
【補正方法】変更
【補正の内容】
【特許請求の範囲】
【請求項１】
矩形シートのサンプルスライドと配合し、１組のサンプル処理用のスライドアセンブリ（１０３）を構成するサンプルスライド処理用のスライドカバーであって、前記スライドカバーは、毛管現象発生平面（１）、深さ位置決め面（２）、幅位置決めブロック（３）、底部位置決めブロック（４）、溝側面（６）、溝開口面（７）を含み、
前記毛管現象発生平面（１）のお互いに対向する両側辺の上方には、２つの前記深さ位置決め面（２）が設けられ、毛管現象発生平面（１）は、深さ位置決め面に平行し、前記スライドの平面の両側辺縁に近接する部分は、深さ位置決め面（２）に貼り合せ、スライド表面と毛管現象発生平面（１）との間に微小ギャップを形成し、それぞれの深さ位置決め面（２）において毛管現象発生平面（１）から離れる外側辺縁には、１つ以上の前記幅位置決めブロック（３）が設けられ、異なる深さ位置決め面（２）に位置する幅位置決めブロック（３）間の垂直距離は、スライドの幅にマッチングして位置制限し、底部位置決めブロック（４）は、深さ位置決め面（２）の底端に設けられ、
前記溝開口面（７）と毛管現象発生平面（１）の上端は、接続して夾角Ａ１を形成し、Ａ１が１〜１７５度の平面角であり、溝開口面（７）の両側には、それぞれ、溝側面（６）が接続し、前記溝開口面（７）及び２つの溝側面（６）は、スライド平面と共同に前記微小ギャップに連通する試薬添加溝を構成することを特徴とするサンプルスライド処理用のスライドカバー。
【請求項２】
前記毛管現象発生平面（１）の底端、即ち、微小ギャップの底部にはギャップ口があることを特徴とする請求項１に記載のサンプルスライド処理用のスライドカバー。
【請求項３】
スライドカバーは、スライドの長さと略等しく、溝側面（６）においてスライド平面に貼り合せる一側、即ち、２つの前記深さ位置決め面（２）の上端には、共に、タグ収容溝（９）が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができることを特徴とする請求項１に記載のサンプルスライド処理用のスライドカバー。
【請求項４】
スライドカバーは、スライドより短く、スライドがスライドカバーの上方より高い箇所に、タグを貼り付けて、或いはプリントする空間を残すことを特徴とする請求項１に記載のサンプルスライド処理用のスライドカバー。
【請求項５】
２つの溝側面（６）の外側には頂部模様（１０）が設けられ、溝側面（６）と指との間の摩擦力を増加することを特徴とする請求項１に記載のサンプルスライド処理用のスライドカバー。
【請求項６】
毛管現象発生平面（１）と深さ位置決め面（２）との間の垂直距離が０．０１〜０．５ｍｍであり、それにより、スライドカバー及びスライドが緊密に貼り付けた後、スライド表面と毛管現象発生平面（１）との間にピッチ０．０１〜０．５ｍｍの微小ギャップを形成し、前記幅位置決めブロック（３）は、深さ位置決め面（２）の厚さより０．１〜１ｍｍ高いことを特徴とする請求項１に記載のサンプルスライド処理用のスライドカバー。
【請求項７】
スライドカバー（１０１）のスライド及びスライドアセンブリの上面には、少なくとも１つの生物サンプルを含むことを特徴とする請求項１に記載のサンプルスライド処理用のスライドカバー。
【請求項８】
スライドカバー及びスライドが緊密に貼り付けた後、形成した組合せ部材、即ち、スライドアセンブリ（１０３）は、竪立し、或いは傾斜して放置されることができ、その傾斜角度が１〜９０度であることを特徴とする請求項１に記載のサンプルスライド処理用のスライドカバー。
【請求項９】
底部位置決めブロック（４）は、上向きの鉤状であり、底部位置決めブロック（４）と幅位置決めブロック（３）は、共に、カバーとスライドが貼り付けた後の相対位置を確定し、かつカバーとスライドとの間の緊密貼合せを保持することを支援することを特徴とする請求項１に記載のサンプルスライド処理用のスライドカバー。
【請求項１０】
スライドカバーの背部である溝開口面（７）の背面、即ち外側と毛管現象発生平面（１）の背面との間には補強リブ（８）が設けられていることを特徴とする請求項１に記載のサンプルスライド処理用のスライドカバー。
【請求項１１】
スライドカバーの材料は、８０℃以上になっても変形したり、軟化しない材料であることを特徴とする請求項１に記載のサンプルスライド処理用のスライドカバー。
【請求項１２】
前記毛管現象発生平面（１）の底部には、さらに、２つの導流角（１１）が設けられ、２つの前記導流角間には漏斗式の導流口（５）を形成し、毛管現象発生平面のうちの溶液が導流口から流出することを許可し、前記導流角（１１）の毛管現象発生平面に対する高度は、深さ位置決め面（２）と面一であることを特徴とする請求項１に記載のサンプルスライド処理用のスライドカバー。
【請求項１３】
請求項１〜１２のいずれか一項に記載のサンプルスライド処理用のスライドカバーの使用方法であって、スライドカバーとスライドとが緊密に貼り合せた後、組み合わせたスライドアセンブリ（１０３）は、熱容液に完全に浸漬され、或いは底部部分が熱容液に挿入して加熱し、加熱過程において揮発を発生しても、ギャップのうちの容液も底部のギャップ口又は導流口（５）から吸込まれることができ、自動的に補充されることを特徴とするサンプルスライド処理用のスライドカバーの使用方法。
【手続補正書】
【提出日】平成30年9月28日(2018.9.28)
【手続補正１】
【補正対象書類名】図面
【補正対象項目名】全図
【補正方法】変更
【補正の内容】
【図１ａ】
2019510242.tif 000013
【図１ｂ】
2019510242.tif 000014
【図２】
2019510242.tif 000015
【図３】
2019510242.tif 000016
【図４ａ】
2019510242.tif 000017
【図４ｂ】
2019510242.tif 000018
【図４ｃ】
2019510242.tif 000019
【図５】
2019510242.tif 000020
【図６】
2019510242.tif 000021
【図７】
2019510242.tif 000022
【国際調査報告】
2019510242.tif 000023
2019510242.tif 000024
2019510242.tif 000025
2019510242.tif 000026
2019510242.tif 000027
2019510242.tif 000028
2019510242.tif 000029